(57)【特許請求の範囲】
【請求項１】
テナントビルの通用口に設けられ、上記通用口から入退する上記各テナントによって共用されて個人識別カードを読み取って、上記通用口の施解錠制御をする共通カードリーダと、
上記テナントビル内の各テナントが入居する部屋毎に設けられ、上記各テナント毎に異なる記載形式で記載された個人識別カードを読み取って、上記各テナントが入居する部屋の施解錠制御をする複数のテナント用カードリーダと、
を備え、
上記共通カードリーダは、各テナント毎の記載形式とテナント番号とが予め記録された記載形式記憶手段と、外部操作によってテナント番号を入力する入力手段と、この入力手段によって入力されたテナント番号に対応する記載形式を上記記載形式記憶手段から読み取り、この記載形式に基いて読み取られた個人識別カードに記載のテナント番号と、上記入力手段によって入力されたテナント番号とを比較する比較手段とを有し、この比較手段の比較結果に基いて通用口の施解錠制御をするテナントビルの入退室管理装置。
【請求項２】
テナントビルの通用口に設けられ、上記通用口から入退する上記各テナントによって共用されて個人識別カードを読み取って、上記通用口の施解錠制御をする共通カードリーダと、
上記テナントビル内の各テナントが入居する部屋毎に設けられ、上記各テナント毎に異なる記載形式で記載された個人識別カードを読み取って、上記各テナントが入居する部屋の施解錠制御をする複数のテナント用カードリーダと、
を備え、
上記共通カードリーダは、各テナント毎の記載形式とテナント番号とが予め記録された記載形式記憶手段と、この記載形式記憶手段から読み取られた一のテナント番号に対応する記載形式に基いて読み取られた個人識別カードに記載のテナント番号と、上記一のテナント番号とを比較する比較手段とを有し、この比較手段の比較結果に基いて通用口の施解錠制御をするテナントビルの入退室管理装置。
【請求項３】
記載形式記憶手段を、テナント識別手段に組み込まれ、テナントビルを集中管理する中央管理装置からのダウンロードにより各テナント毎の記載形式とテナント番号とが記録されるものとした請求項１又は請求項２に記載のテナントビルの入退室管理装置。
【請求項４】
記載形式記憶手段を、テナント識別手段に組み込まれて、通用口のカードリーダによって各テナント毎の記載形式とテナント番号とが記録されるものとした請求項１又は請求項２に記載のテナントビルの入退室管理装置。
【発明の詳細な説明】
【０００１】
【発明の属する技術の分野】
この発明は、複数のテナントが入居したテナントビルに入退する通用口における入退室管理に関するものである。
【０００２】
【従来の技術】
複数のテナントが入居したテナントビルの通用口における入退室管理装置の従来例として、例えば、特開平３−７７１９９号公報には、各テナントの入居している部屋が所定数以上無人となったとき、通用口を施錠して入退室管理を行うものが開示されている。この場合、通用口の個人識別端末であるカードリーダは各テナントによって共通して使用される。このため、その個人識別カードは必然的に同一の記載形式で個人情報が記載されているものと推定される。
【０００３】
【発明が解決しようとする課題】
ところで、入居しているテナントには、大企業であって多数の職員を擁するものと、少数の職員しか居ないもの等区々であり、各テナントの特色を活かして個人識別カードを構成したい、という要請がある。
しかし、従来のテナントビルの入退室管理装置は上記のとおり構成されているので、同一の記載形式で記載された個人識別カードを使用して個人識別を行う、という従来のテナントビルの入退室管理装置では上記の要請に応えることができない、という問題があった。
また、個人識別カードは各テナントに共通した記載形式で記載されるため、例えば、各職制とその職制に配属されている人数等秘密にすべき事項が外部に漏洩し易いという問題もあった。
更に、他所から新たに転入してきたテナントが、それ迄使用していたカードリーダと個人識別カードを引き続いて使用したい、という要請にも応えることができないという問題もあった。
【０００４】
この発明は、上記問題点を解決するためになされたものであり、テナント毎に異なる記載形式で記載された個人識別カードを各テナントによって共通に使用されるカードリーダで読み取ってテナントビルの通用口の入退室管理をするようにしたものである。
【０００６】
【課題を解決するための手段】
この発明に係るテナントビルの入退室管理装置は、テナントビルの通用口に設けられ、上記通用口から入退する上記各テナントによって共用されて個人識別カードを読み取って、上記通用口の施解錠制御をする共通カードリーダと、上記テナントビル内の各テナントが入居する部屋毎に設けられ、上記各テナント毎に異なる記載形式で記載された個人識別カードを読み取って、上記各テナントが入居する部屋の施解錠制御をする複数のテナント用カードリーダとを備え、上記共通カードリーダは、各テナント毎の記載形式とテナント番号とを予め記載形式記憶手段に記憶しておいて、外部操作によってテナント番号が入力されると、この入力されたテナント番号に対応する記載形式を上記記載形式記憶手段から読み出し、この読み出された記載形式に基いて個人識別カードに記載のテナント番号を解読し、上記入力手段によって入力されたテナント番号と比較することによりテナントビルの通用口の施解錠制御をして入退室管理をするようにしたものである。
【０００７】
また、この発明に係るテナントビルの入退室管理装置は、テナントビルの通用口に設けられ、上記通用口から入退する上記各テナントによって共用されて個人識別カードを読み取って、上記通用口の施解錠制御をする共通カードリーダと、上記テナントビル内の各テナントが入居する部屋毎に設けられ、上記各テナント毎に異なる記載形式で記載された個人識別カードを読み取って、上記各テナントが入居する部屋の施解錠制御をする複数のテナント用カードリーダとを備え、上記共通カードリーダは、各テナント毎の記載形式とテナント番号とが予め記録された記載形式記憶手段と、この記載形式記憶手段から読み取られた一のテナント番号に対応する記載形式に基いて読み取られた個人識別カードに記載のテナント番号と、上記一のテナント番号とを比較することによりテナントビルの通用口の施解錠制御をして入退室管理をするようにしたものである。
【０００９】
更にまた、この発明に係るテナントビルの入退室管理装置は、記載形式記憶手段を、テナント識別手段に組み込み、建物を集中管理する中央管理装置からのダウンロードにより各テナント毎の記載形式とテナント番号とを記録するようにしたものである。
【００１０】
更にまた、この発明に係るテナントビルの入退室管理装置は、記載形式記憶手段を、テナント識別手段に組み込み、通用口のカードリーダによって各テナント毎の記載形式とテナント番号とを記録するようにしたものである。
【００１１】
【発明の実施の形態】
実施の形態１．
図１から図８は実施の形態１を示す。この実施の形態１では、図２に示すとおり、テナントビルＢＬには部屋Ｒ１と部屋Ｒ２があり、それぞれに異なるテナントが入居している。以下、部屋Ｒ１に入居しているテナントをテナント１、部屋Ｒ２のテナントをテナント２という。各テナントは図４及び図５に示すとおり、それぞれ異なる記載形式の個人識別カード（以下、図ではＩＤカードともいう。）ＣＲ１及びＣＲ２によって通用口ＥＮからテナントビルＢＬへ入退館するものとする。
図１から図３において、１はテナントビルＢＬを集中管理する中央管理装置で、ＣＰＵ２と、プログラムが書き込まれたＲＯＭ３と、データ等が一時的に書き込まれるＲＡＭ４と、個人識別カードＣＲ１及びＣＲ２の記載形式とテナント番号ＴＮ１及びＴＮ２を読み取って入出力装置５ａを介して中央管理装置１に入力するカードリーダ５と、外部操作によって入力するテンキー６とからなる。なお、テナント番号ＴＮ１及びＴＮ２は、それぞれＴＮ２１及びＴＮ２２としてＲＡＭ１４に記録される。７はテナントビルＢＬに設置されている他の機器の動作状態を検知するセンサで、入出力装置５ａを介して中央管理装置１に入力されて集中管理に供される。
【００１２】
１１は通用口ＥＮから入退館する通行者がこのテナントビルＢＬに入居しているテナントの職員か否かを識別するテナント識別手段で、ＣＰＵ１２と、プログラムが書き込まれたＲＯＭ１３と、データ等が一時的に書き込まれるＲＡＭ１４と、個人識別カードＣＲ１及びＣＲ２を読み取って入出力装置１５ａを介して入力するカードリーダ１５と、外部操作によって入力されるテンキー１６と、中央処理装置１のカードリーダ５で読み取られた個人識別カードＣＲ１及びＣＲ２の記載形式とテナント番号ＴＮ２１及びＴＮ２２がインターフェース１８を介してダウンロードされる記載形式記憶手段１７とからなる。ここで、個人識別カードＣＲ１及びＣＲ２に記載のテナント番号をＴＮ１及びＴＮ２とし、また、テンキー１６から入力されるテナント番号であってテナント番号ＴＮ１に対応するものをＴＮ１１とし、同様にテナント番号ＴＮ２に該当するものをＴＮ１２とする。更に、記載形式記憶手段１７に記載されたテナント番号であってテナント番号ＴＮ１に対応するテナント番号をＴＮ２１とし、同様にテナント番号ＴＮ２に対応するテナント番号をＴＮ１１、ＴＮ２２とする。この実施の形態１では、テナント番号ＴＮ１とテナント番号ＴＮ１１及びＴＮ２１、また、テナント番号ＴＮ２とテナント番ＴＮ１２及び号ＴＮ２２は、それぞれ同値とする。１９は通用口ＥＮを開閉する扉ＥＮＤを施解錠する電気錠で、入出力装置１５ａを介してテナント識別手段１１によって制御される。
【００１３】
２１は部屋Ｒ１から入退室する通行者が部屋Ｒ１のテナント１の職員か否かを識別する個人識別手段で、ＣＰＵ２２と、プログラムが書き込まれたＲＯＭ２３と、データ等が一時的に書き込まれるＲＡＭ２４と、個人識別カードを読み取って入出力装置２５ａを介して入力するカードリーダ２５と、中央処理装置１のカードリーダ５で読み取られた個人識別カードＣＲ１の記載内容がインターフェース２８を介して書き込まれるカード内容記憶手段２７とからなる。２９は部屋Ｒ１の出入口を開閉する扉Ｒ１Ｄを施解錠する電気錠で、入出力装置２５ａを介して個人識別手段２１によって制御される。
【００１４】
３１は部屋Ｒ２から入退室する通行者が部屋Ｒ２のテナント２の職員か否かを識別する個人識別手段で、個人識別手段２１と同様に構成されている。即ち、ＣＰＵ３２と、ＲＯＭ３３と、ＲＡＭ３４と、カードリーダ３５と、入出力装置３５ａと、インターフェース３８と、カード内容記憶手段３７とからなる。３９は部屋Ｒ２の出入口を開閉する扉Ｒ２Ｄを施解錠する電気錠である。
【００１５】
図２はテナントビルＢＬの全容を示し、入退館が行われる通用口ＥＮと、テナント識別手段１１によって制御されて通用口ＥＮを開閉する扉ＥＮＤと、この扉ＥＮＤを施解錠する電気錠１９と、テナント１及びテナント２が入居している部屋Ｒ１及び部屋Ｒ２と、それぞれの出入口を開閉する扉Ｒ１Ｄ及びＲ２Ｄと、これらの扉Ｒ１Ｄ及びＲ２Ｄには個人識別手段２１及び３１によって制御される電気錠２９及び３９が装着されている。
図３は、通用口ＥＮの正面図で、通用口ＥＮの側部にはカードリーダ１５とテンキー１６が取り付けられている。扉ＥＮＤには電気錠１９が装着されている。
図４（ａ）は、テナント１が使用している個人識別カードＣＲ１の記載形式を示し、７２バイトのメモリ容量を有している。第１バイトには開始符号、第１０バイトから第１９バイトにはテナント番号ＴＮ１、第２０バイトから第２９バイトには個人識別番号ＩＤ１、第７１バイトには終了符号、第７２バイトにはＬＲＣ（水平偶数パリティ）が記録され、他はスペースである。
図４（ｂ）は、テナント２が使用している個人識別カードＣＲ２の記載形式を示し、同様に７２バイトの記憶容量を有している。テナント番号ＴＮ２は第２０バイトから第２４バイトに記録され、第２５バイトから第２９バイトには所属番号ＳＮ２が記録され、個人識別番号ＩＤ２は第３０バイトから第４９バイトに記録されている。
【００１６】
次に、上記構成に係る実施の形態１の動作を、図５から図７に示す流れ図に従って説明する。ここで、各流れ図の処理は、所定時間毎に発生する割込み信号によって時分割で処理されるものとする。
図５は、中央管理装置１のテンキー６で個人識別カードＣＲ１及びＣＲ２の記載形式を入力してテナント識別手段１１の記載形式記憶手段１７にダウンロードする処理を示す。
即ち、手順Ｓ１１で、中央管理装置１のテンキー６を操作して、個人識別カードＣＲ１及びＣＲ２のテナント番号ＴＮ１及びＴＮ２と同値のテナント番号ＴＮ２１及びＴＮ２２と、テナント番号ＴＮ１及びＴＮ２が記録されているメモリ番地からなる記載形式を入力する。手順Ｓ１２で、入力されたテナント番号ＴＮ２１及びＴＮ２２と記載形式とをテナント識別手段１１の記載形式記憶手段１７にダウンロードするようにテンキー６で指示し、手順Ｓ１３で、テナント番号ＴＮ２１及びＴＮ２２と記載形式が中央管理装置１からテナント識別手段１１の記載形式記憶手段１７に書き込まれる。図４に則して説明すると、テナント番号ＴＮ１は第１０バイトから第１９バイトに記載されている旨を、テナント番号２１と関連付けて、また、テナント番号ＴＮ２は第２０バイトから第２４バイトに記載されている旨を、テナント番号２２と関連付けてテンキー６によって入力する。
【００１７】
図６は、中央管理装置１のカードリーダ５で個人識別カードＣＲ１及びＣＲ２を読み取って、テンキー６の指示により、その記載内容をそれぞれ該当する個人識別手段２１及び３１のカード内容記憶手段２７及び３７にダウンロードするための処理を示す。
即ち、手順Ｓ２１で中央管理装置１のカードリーダ５で個人識別カードＣＲ１及びＣＲ２を読み取る。手順Ｓ２２で、読み取った内容をそれぞれ該当する個人識別手段２１及び３１にダウンロードするようにテンキー６で指示する。手順Ｓ２３で、テンキー６の指示に従い、それぞれ該当する個人識別手段２１及び３１のカード内容記憶手段２７及び３７に個人識別カードＣＲ１及びＣＲ２の内容が書き込まれる。即ち、カード内容記憶手段２７には個人識別カードＣＲ１の内容が、また、カード内容記憶手段３７には個人識別カードＣＲ２の内容が、それぞれ書き込まれる。
【００１８】
図７は、テナント識別手段１１による通用口ＥＮの通行管理を示す。即ち、カードリーダ１５に個人識別カードＣＲ１を挿入した場合はテナント１と判断し、個人識別カードＣＲ２を挿入した場合はテナント２と判断し、いずれの場合も電気錠１９が解錠されて通行できる。個人識別カードＣＲ１及びＣＲ２以外のカードが挿入された場合は、電気錠１９は解錠されず通行できない。
手順Ｓ３１で、テンキー１６によってテナント番号ＴＮ１１又はＴＮ１２が入力されたとする。このテナント番号ＴＮ１１又はＴＮ１２は手順Ｓ３２で一旦ＲＡＭ１４に格納される。手順Ｓ３３でテナント番号ＴＮ１１の場合はテナント番号ＴＮ２１が対応し、ＴＮ１２の場合はテナト番号ＴＮ２２が対応して、それぞれ該当する記載形式を記載形式記憶手段１７から読み取る。手順Ｓ３４で該当する記載形式が無い場合、例えば誤ったテナント番号の場合は処理を終了する。該当する記載形式が有る場合は手順Ｓ３５に移り、カードリーダ１５に個人識別カードＣＲ１又はＣＲ２が挿入されると、手順Ｓ３６でその内容を読み取ってＲＡＭ１４に格納する。ここでの読取りは、図４に示す個人識別カードＣＲ１又はＣＲ２を第１バイトから第７２バイトまで記載されているそのままを読み込む。
手順Ｓ３７でテナント番号ＴＮ１１又はＴＮ１２に該当する記載形式でＲＡＭ１４に格納された個人識別カードＣＲ１又はＣＲ２に記載されたテナント番号ＴＮ１又はＴＮ２を解読する。即ち、テナント番号ＴＮ１１の場合は、図４に示すとおり第１０バイトから第１９バイトまでをテナント番号ＴＮ１として読みとり、テナント番号ＴＮ１２の場合は、第２０バイトから第２４バイトまでをテナント番号ＴＮ２として読みとる。手順Ｓ３８でテナント番号ＴＮ１１又はＴＮ１２とテナント番号ＴＮ１又はＴＮ２が等しいかチェックする。等しくない場合は電気錠１９を施錠したまま処理を終了する。等しい場合は手順Ｓ３９で電気錠１９を解錠して入館させる。
【００１９】
なお、通用口ＥＮから入館した者が部屋Ｒ１に入室するには、従来と同様に個人識別カードＣＲ１をカードリーダ２５に読み取らせ、そこに記載されたテナント番号ＴＮ１及び個人識別番号ＩＤ１が、カード内容記憶手段２７に記録されているテナント番号及び個人識別番号と同一の場合は、電気錠２９が解錠されて部屋Ｒ１に入室できる。
個人識別カードＣＲ２をカードリーダ２５に挿入した場合、図４に示すとおり、第１０バイトから第１９バイトまではスペースとなっており、このようなテナント番号はカード内容記憶手段２７に記録されていないので、電気錠２９は施錠されたままとなり入室できない。
個人識別カードＣＲ２をカードリーダ３５に読み取らせて部屋Ｒ２に入室する場合も同様であり、説明を省略する。
【００２０】
上記実施の形態１によれば、テンキー１６で入力されたテナント番号ＴＮ１１又はＴＮ１２に対応する記載形式をテナント番号ＴＮ２１、ＴＮ２２を介して記載形式記憶手段１７から読み取り、この記載形式に基いて個人識別カードＣＲ１又はＣＲ２に記載のテナント番号ＴＮ１又はＴＮ２を解読するようにしたので、個人識別カードＣＲ１及びＣＲ２がそれぞれ異なる記載形式であっても、同一のカードリーダ１５を使用することができる。
また、個人識別カードＣＲ１又はＣＲ２に記載のテナント番号ＴＮ１又はＴＮ２とテンキー１６で入力されたテナント番号ＴＮ１１又はＴＮ１２を比較し、この比較結果に基いて通用口ＥＮの電気錠１９の施解錠制御をするようにしたので、テンキー１６で入力されたテナント番号ＴＮ１１又はＴＮ１２がテナント番号ＴＮ１又はＴＮ２と等しい場合のみ電気錠１９を解錠し、テナント番号ＴＮ１１又はＴＮ１２がテナント番号ＴＮ１及びＴＮ２のいずれでもない場合、並びに個人識別カードＣＲ１及びＣＲ２以外のものが使用された場合、いずれも電気錠１９は施錠されたままとなり、意図したテナントビルＢＬの入退室管理ができる。
更に、記載形式記憶手段１７及びカード内容記憶手段２７，３７への書込みは中央管理装置１から行うようにしたので、一個所から集中して処理することができる、という利便性がある。
【００２１】
実施の形態２．
図８は、実施の形態２を示す。
上記実施の形態１では、テンキー１６でテナント番号ＴＮ１１又はＴＮ１２を入力することとしたが、この実施の形態２ではテンキー１６による入力を不要としたものである。従って、実施の形態２の全体構成は、図１においてテナント識別手段１１からテンキー１６を省いたものが相当する。従って、以下の説明おいて、図１と同符号のものは同一部分を示す。
図８において、手順Ｓ５１でカードリーダ１５に個人識別カードＣＲ１又はＣＲ２が挿入されると、手順Ｓ５２で個人識別カードＣＲ１又はＣＲ２の内容が読み込まれてＲＡＭ１４に格納される。ここでの読取りは、図４に示す個人識別カードＣＲ１又はＣＲ２を第１バイトから第７２バイトまで記載されているそのままを読み込む。手順Ｓ５３で記載形式記憶手段１７に記憶されているテナント番号ＴＮ２１及びＴＮ２２を「ＴＮ２１」→「ＴＮ２２」の順番に読み取る。手順Ｓ５４で、テナント番号ＴＮ２１又はＴＮ２２に該当する記載形式でＲＡＭ１４に格納されたテナント番号ＴＮ１又はＴＮ２を解読する。即ち、個人識別カードが図４に示すＣＲ１か又はＣＲ２であるかに関係なく、テナント番号ＴＮ２１の場合は、図４に示すとおり第１０バイトから第１９バイトまでをテナント番号ＴＮ１であるとして読みとり、テナント番号ＴＮ２２の場合は、第２０バイトから第２４バイトまでをテナント番号ＴＮ２であるとして読みとる。
【００２２】
こうして読み取ったテナント番号ＴＮ１又はＴＮ２を手順Ｓ５５で比較処理をする。即ち、テナント番号ＴＮ２１の場合はテナント番号ＴＮ１と、テナント番号ＴＮ２２の場合はテナント番号ＴＮ２と、それぞれ比較する。等しくない場合は手順Ｓ５６に移り、記載形式記憶手段１７に記憶されている最後のテナント番号ＴＮ２２までチェックされたか否かを調べる。最後のテナント番号ＴＮ２２までチェックされていない場合は、手順Ｓ５３に戻り、以下、手順Ｓ５４から手順Ｓ５６までの処理を繰り返す。記載形式記憶手段１７に記憶されている最後のテナント番号ＴＮ２２まで処理したが、個人識別カードＣＲ１又はＣＲ２に記載のテナント番号ＴＮ１又はＴＮ２が記載形式記憶手段１７に記憶されているテナント番号ＴＮ２１及びＴＮ２２の何れにも等しくない場合は手順Ｓ５６で「Ｙ」となって電気錠１９を施錠したまま処理を終了する。手順Ｓ５５で等しいとされた場合は手順Ｓ５７に移り、電気錠１９を解錠して入館させる。
【００２３】
上記実施の形態２によっても、それぞれ異なる記載形式の個人識別カードＣＲ１及びＣＲ２を同一のカードリーダ１５で読み取ってテナントビルＢＬの入退室管理ができると共に、特に個人識別カードＣＲ１又はＣＲ２をカードリーダ１５に挿入するのみで入退館の管理ができるので、テンキー１６を操作する手間を省くことができ、迅速な処理が可能となる。
【００２４】
実施の形態３．
なお、上記実施の形態１及び実施の形態２では、記載形式記憶手段１７はテナント識別手段１１に組み込まれるものとしたが、中央管理装置１に組み込んでもよいものである。カード内容記憶手段２７，３７についても同様である。これにより、中央管理装置１においてカードリーダ５又はテンキー６から直接書き込むことができ、集中管理による利便性が向上する。
【００２５】
実施の形態４．
また、上記実施の形態１及び実施の形態２では、記載形式記憶手段１７はテナント識別手段１１に、また、カード内容記憶手段２７，３７はそれぞれ個人識別手段２１，３１に組み込まれるものとし、それらへの書込みはいずれも中央管理装置１からダウンロードするものとしたが、記載形式記憶手段１７へはテナント識別手段１１のテンキー１６又はカードリーダ１５によって書き込むこととしてもよい。また、カード内容記憶手段２７及び３７への書込みもそれぞれ個人識別手段２１及び３１のカードリーダ２５及び３５によってそれぞれ行うこととしてもよい。これによって、テナント識別手段１１並びに個人識別手段２１及び３１がそれぞれ独立した装置となって、中央管理装置１との連絡ケーブルの敷設が不要となり移設に便利である。
【００２６】
実施の形態５．
更に、上記実施の形態１ではテンキー１６で入力されたテナント番号ＴＮ１１又はＴＮ１２は、個人識別カードＣＲ１又はＣＲ２に記載のテナント番号ＴＮ１又はＴＮ２と等しい場合に電気錠１９を解錠するものとしたが、これに限られるものではなく、テナント番号ＴＮ１１及びテナント番号２１とテナント番号ＴＮ１が、また、テナント番号ＴＮ１２及びテナント番号２２とテナント番号ＴＮ２が、それぞれ一対一に対応しておればよいものである。従って、テナント番号ＴＮ１又はＴＮ２が仮に既知となっても、上記対応を採っておけばテンキー１６で入力されたテナント番号ＴＮ１１又はＴＮ１２を機密化することができ、この機密化によってテナントビルの通用口の入退室管理の機密性を保持できる。仮に、テナント番号ＴＮ１１又はＴＮ１２が既知となった場合でも、新たな番号を設定して記載形式記憶手段１７に再記録することにより、機密を維持できる。
【００２８】
【発明の効果】
以上説明したようにこの発明に係るテナントビルの入退室管理装置は、テナントビルの通用口に設けられ、上記通用口から入退する上記各テナントによって共用されて個人識別カードを読み取って、上記通用口の施解錠制御をする共通カードリーダと、上記テナントビル内の各テナントが入居する部屋毎に設けられ、上記各テナント毎に異なる記載形式で記載された個人識別カードを読み取って、上記各テナントが入居する部屋の施解錠制御をする複数のテナント用カードリーダとを備え、上記共通カードリーダは、各テナント毎の記載形式とテナント番号とを予め記載形式記憶手段に記憶しておいて、外部操作によって入力されたテナント番号に対応する記載形式を上記記載形式記憶手段から読み出し、この読み出された記載形式に基いて個人識別カードに記載のテナント番号を解読し、上記外部操作によって入力されたテナント番号と比較することによりテナントビルの通用口の入退室管理をするようにしたものである。このため、各テナント毎に個人識別カードがそれぞれ異なる記載形式であっても、同一のカードリーダを使用することができる、という効果を奏する。また、上記効果に併せて個人識別カードに記載のテナント番号が既知となっても、外部入力されたテナント番号を機密化することにより、テナントビルの通用口の入退室管理を向上することができる、という効果も奏する。
【００２９】
また、この発明に係るテナントビルの入退室管理装置は、テナントビルの通用口に設けられ、上記通用口から入退する上記各テナントによって共用されて個人識別カードを読み取って、上記通用口の施解錠制御をする共通カードリーダと、上記テナントビル内の各テナントが入居する部屋毎に設けられ、上記各テナント毎に異なる記載形式で記載された個人識別カードを読み取って、上記各テナントが入居する部屋の施解錠制御をする複数のテナント用カードリーダとを備え、上記共通カードリーダは、各テナント毎の記載形式とテナント番号とを予め記載形式記憶手段に記録しておいて、この記載形式記憶手段から読み取られた一のテナント番号に対応する記載形式に基いて個人識別カードに記載のテナント番号を読み取って、上記一のテナント番号と比較することによりテナントビルの通用口の入退室管理をするようにしたものである。このため、各テナント毎に個人識別カードがそれぞれ異なる記載形式であっても、同一のカードリーダを使用することができる、という効果を奏する。また、テンキーを操作する手間を省くことができ、迅速な処理ができる、という効果も奏する。
【００３１】
更にまた、この発明に係るテナントビルの入退室管理装置は、記載形式記憶手段を、テナント識別手段に組み込み、建物を集中管理する中央管理装置からのダウンロードにより各テナント毎の記載形式とテナント番号とを記録するようにしたものである。このものにあっても、同様に中央管理装置による集中管理が可能となり利便性が増す、という効果も奏する。
【００３２】
更にまた、この発明に係るテナントビルの入退室管理装置は、記載形式記憶手段を、テナント識別手段に組み込み、通用口のカードリーダによって各テナント毎の記載形式とテナント番号とを記録するようにしたものである。このため、テナント識別手段が独立した装置となって、中央管理装置との連絡ケーブルの敷設が不要となり移設に便利である、という効果も奏する。
【図面の簡単な説明】
【図１】  この発明の実施の形態１の全体構成を示すブロック図。
【図２】  この発明を適用したテナントビルの平面図。
【図３】  この発明を適用したテナントビルの通用口の正面図。
【図４】  個人識別カードの記載形式を示す図。
【図５】  この発明の実施の形態１による記載形式記憶手段への書込み処理を示す流れ図。
【図６】  この発明の実施の形態１によるカード内容記憶手段への書込み処理を示す流れ図。
【図７】  この発明の実施の形態１による通用口の入退管理を示す流れ図。
【図８】  この発明の実施の形態２による通用口の入退管理を示す流れ図。
【符号の説明】
１  中央管理装置、  ２  ＣＰＵ、  ３  ＲＯＭ、  ４  ＲＡＭ、  ５  カードリーダ、  ６  テンキー、  １１  テナント識別手段、  １２  ＣＰＵ、  １３  ＲＯＭ、  １４  ＲＡＭ、  １５  カードリーダ、  １６  テンキー、  １９  電気錠、  ＢＬ  テナントビル、  ＥＮ  通用口、  ＥＮＤ  扉、  Ｒ１  部屋、  Ｒ２  部屋、  ＣＲ１  個人識別カード、  ＣＲ２  個人識別カード。
【図１】
0004132325.tif 000002
【図２】
0004132325.tif 000003
【図３】
0004132325.tif 000004
【図４】
0004132325.tif 000005
【図５】
0004132325.tif 000006
【図６】
0004132325.tif 000007
【図７】
0004132325.tif 000008
【図８】
0004132325.tif 000009